(57)【要約】【課題】ストラップの取り出し操作時にノイズが発生することを極力抑制し、ユーザの快適な使用を阻害しないストラップ装置を提供する。【解決手段】環状のストラップをユーザの身体の一部に掛けることで、該ストラップを介して対象物をユーザに携帯させるストラップ装置であって、ストラップ装置本体と、ストラップの巻取りを行う巻取り部と、ストラップ装置本体に対する回転が制限された状態で設けられ、且つ巻取り部によるストラップの巻戻し回転が制限される第一所定位置と、ストラップ取り出しのための巻取り部の取り出し回転が可能となる第二所定位置との間で、巻取り部に対して相対移動可能な巻取り補助部と、巻取り補助部が第一所定位置となるように押圧力を作用させる付勢部と、該巻取り補助部が第一所定位置にあるとき該巻取り補助部を該ストラップ装置本体に対して所定の点接触状態とする突起部と、を備える。【選択図】図６Ａ
2009160277.tif 000002
【特許請求の範囲】
【請求項１】
対象物が取り付けられ、ケース形状であるストラップ装置本体と、
前記ストラップ装置本体内で回転可能な状態で支持されて、ストラップの巻取りを行う巻取り部と、
前記ストラップ装置本体に対する回転が制限された状態で該ストラップ装置本体内に設けられ、且つ前記巻取り部による前記ストラップの巻戻し回転が制限される第一所定位置と、ストラップ取り出しのための前記巻取り部の取り出し回転が可能となる第二所定位置との間で、前記巻取り部に対して相対移動可能な巻取り補助部と、
前記巻取り補助部が前記第一所定位置となるように、該巻取り補助部を前記ストラップ装置本体に押圧する押圧力を作用させる付勢部と、
前記巻取り補助部又は前記ストラップ装置本体の何れかに設けられ、該巻取り補助部が前記第一所定位置にあるとき該巻取り補助部を該ストラップ装置本体に対して所定の点接触状態とする突起部と、を備え、
ユーザによって前記ストラップを前記ストラップ装置本体から取り出す取り出し操作が行われるとき、該取り出し操作に伴い前記巻取り補助部が前記第一所定位置と前記第二所定位置との間を往復移動することで前記ストラップ取り出しのための前記巻取り部の取り出し回転が行われ、且つ該巻取り補助部が前記第二所定位置から前記第一所定位置へ戻る際に前記突起部を介した該巻取り補助部の前記ストラップ装置本体への接触が行われる、
ストラップ装置。
【請求項２】
前記突起部は、前記巻取り補助部又は前記ストラップ装置本体の何れかに対して弾性結合される、
請求項１に記載のストラップ装置。
【請求項３】
対象物が取り付けられ、ケース形状であるストラップ装置本体と、
前記ストラップ装置本体内で回転可能な状態で支持されて、ストラップの巻取りを行う巻取り部と、
前記ストラップ装置本体に対する回転が制限された状態で該ストラップ装置本体内に設けられ、且つ前記巻取り部による前記ストラップの巻戻し回転が制限される第一所定位置と、ストラップ取り出しのための前記巻取り部の取り出し回転が可能となる第二所定位置との間で、前記巻取り部に対して相対移動可能な巻取り補助部と、
前記巻取り補助部が前記第一所定位置となるように、該巻取り補助部を前記ストラップ装置本体に押圧する押圧力を作用させる付勢部と、
前記巻取り補助部又は前記ストラップ装置本体の何れかに設けられ、該巻取り補助部が前記第一所定位置にあるとき該巻取り補助部を該ストラップ装置本体に対して所定の接触状態とする接触部と、を備え、
前記接触部と、該接触部が設けられた前記巻取り補助部又は前記ストラップ装置本体の何れかとは弾性結合されており、
ユーザによって前記ストラップを前記ストラップ装置本体から取り出す取り出し操作が行われるとき、該取り出し操作に伴い前記巻取り補助部が前記第一所定位置と前記第二所定位置との間を往復移動することで前記ストラップ取り出しのための前記巻取り部の取り出し回転が行われ、且つ該巻取り補助部が前記第二所定位置から前記第一所定位置へ戻る際に前記接触部を介した該巻取り補助部の前記ストラップ装置本体への接触が行われる、
ストラップ装置。
【請求項４】
前記巻取り部は、
前記ストラップが連結され、前記ストラップ装置本体に回転可能な状態で支持されるドラム本体と、
前記ドラム本体に設けられた羽部であって、前記巻取り補助部が前記第二所定位置とな
るための第一端部と、該巻取り補助部が前記第一所定位置あるとき該巻取り補助部と干渉状態となることで該巻取り部の巻戻し回転を制限する第二端部とを含むドラム側羽部と、を有し、
前記巻取り補助部は、
前記ストラップ装置本体に対する回転が制限された状態で該ストラップ装置本体内に設けられ、且つ前記巻取り部に対して前記相対移動可能な補助部本体部と、
前記補助部本体部に設けられた羽部であって、ユーザによる前記取り出し操作が行われるとき前記ドラム側羽部の第一端部と接触し前記補助部本体部を前記第二所定位置に移動させる第三端部と、該ドラム側羽部の第二端部と前記干渉状態となる第四端部とを含む補助部側羽部と、を有する
請求項１から請求項３の何れかに記載のストラップ装置。
【請求項５】
前記巻取り補助部が、ユーザの操作により前記第一所定位置から少なくとも前記第二所定位置まで移動させられることで、前記巻取り部の巻戻しが許可されて前記ストラップの巻き戻しが可能となる、
請求項１から請求項４の何れかに記載のストラップ装置。
【発明の詳細な説明】
【技術分野】
【０００１】
本発明は、ユーザがネームカード等の表示カードやカメラ等の小型機器を携帯するために、その首や手首等に掛けて使用する装置等に用いられるヒモ等の巻き取り・引き出しを行うストラップ装置に関する。
【背景技術】
【０００２】
ユーザが自己を他人に認識してもらうために、体の前に名前や顔写真等を記載したネームカードを配置させたい場合や、又は自己認識のためのデータを格納しＲＦＩＤタグにより読取装置と無線通信を行う通信カードを、ユーザの読取り操作がし易いようにやはり体の前に配置させたい場合に、ユーザの首に環状のストラップを掛けてそれに上記ネームカードを装着させる場合がある。また、ネームカード以外にもカメラやビデオ録画装置等を携帯するために、同様に環状のストラップを利用してこれらの装置をユーザの手首や首に掛けることが行われる。
【０００３】
ここで、ユーザがストラップを利用してネームカード等を体の一部に掛けようとするとき、ユーザの動作のし易さや安全性等を理由として、当該ネームカード等を体の適正な位置に配置させる必要がある。例えば、ユーザの体の前にネームカードを、首から掛けたストラップによって配置させる場合、首からのストラップの長さが長すぎると周囲の物にストラップやネームカードを引っ掛ける等してユーザの安全性が低下する。また、その長さが短すぎると、ネームカードがユーザの動きを阻害する場合もある。さらには、状況に応じて求められる長さも異なる。例えば通常使用時には適当な長さであっても、水仕事を行う際には長すぎてネームカードが水に濡れてしまうため短くしたいという要求もある。
【０００４】
そこで、ユーザの体にカメラ等を掛けるためのストラップ装置であって、そのストラップ長を調整する機構を有する保持具に関する技術が開示されている。この技術では、環状のストラップの両端が、カメラ等を取り付けるケース内のドラムに取り付けられて、ドラムの回転によりストラップが巻き取られ又は取り出されることで、ストラップ長が調整される。これにより、ユーザは任意のストラップ長を得られる。
【特許文献１】特許第３７７８３０６号公報
【発明の開示】
【発明が解決しようとする課題】
【０００５】
ユーザがネームカードや携帯装置等をストラップ装置によって体の一部に掛けようとする場合、ストラップをストラップ装置から取り出す操作が必要となる。ここで、ストラップ装置からストラップを取り出しための、該ストラップ装置を構成する部品の都合により、ユーザのストラップの取り出し動作に起因して、ストラップ装置内で部品が動き、もしくは動かされ、何等かのノイズが発生する場合がある。これは、ストラップ装置を使用するユーザにとって、快適なものではない場合がある。
【０００６】
本発明では、上記した問題に鑑み、ストラップの取り出し操作時にノイズが発生することを極力抑制し、ユーザの快適な使用を阻害しないストラップ装置を提供することを目的とする。
【課題を解決するための手段】
【０００７】
本発明は、上記した課題を解決するために、部品同士の接触によりノイズが発生する箇所に、ノイズを抑える構成を新たに採用した。詳細には、本発明は、対象物が取り付けられ、ケース形状であるストラップ装置本体と、前記ストラップ装置本体内で回転可能な状
態で支持されて、ストラップの巻取りを行う巻取り部と、前記ストラップ装置本体に対する回転が制限された状態で該ストラップ装置本体内に設けられ、且つ前記巻取り部による前記ストラップの巻戻し回転が制限される第一所定位置と、ストラップ取り出しのための前記巻取り部の取り出し回転が可能となる第二所定位置との間で、前記巻取り部に対して相対移動可能な巻取り補助部と、前記巻取り補助部が前記第一所定位置となるように、該巻取り補助部を前記ストラップ装置本体に押圧する押圧力を作用させる付勢部と、前記巻取り補助部又は前記ストラップ装置本体の何れかに設けられ、該巻取り補助部が前記第一所定位置にあるとき該巻取り補助部を該ストラップ装置本体に対して所定の点接触状態とする突起部と、を備える。そして、ユーザによって前記ストラップを前記ストラップ装置本体から取り出す取り出し操作が行われるとき、該取り出し操作に伴い前記巻取り補助部が前記第一所定位置と前記第二所定位置との間を往復移動することで前記ストラップ取り出しのための前記巻取り部の取り出し回転が行われ、且つ該巻取り補助部が前記第二所定位置から前記第一所定位置へ戻る際に前記突起部を介した該巻取り補助部の前記ストラップ装置本体への接触が行われる。
【０００８】
上記ストラップ装置においては、巻取り部と巻取り補助部との間で行われる該巻取り補助部の相対移動を基準とした、該巻取り部の取り出し回転および巻き戻し回転によって、ストラップ装置本体からのストラップの取り出しや巻き戻しが行われる。ここで、ストラップの取出しが行われる場合、この巻取り補助部は、上記第一所定位置と第二所定位置との間を往復移動することになる。これは、付勢部による押圧力の作用を利用したものである。即ち、上記ストラップ装置においては、付勢部の押圧力によって、ストラップの取り出し時に、巻取り補助部は第二所定位置から第一所定位置へと一気に移動するため、巻取り補助部とストラップ装置本体との間での接触音が発生する可能性が高くなる。
【０００９】
しかし、上記ストラップ装置においては、巻取り補助部とストラップ装置本体との間には、突起部が存在することになり、巻取り補助部が第二所定位置から第一所定位置へと戻っても、この突起部が巻取り補助部とストラップ装置本体との接触を緩衝するため、その際の接触音を極めて小さく抑えることが可能となる。
【００１０】
このような構成は、特に好適に、環状のストラップをユーザの身体の一部に掛けることで、該ストラップを介して対象物をユーザに携帯させるストラップ装置に採用される。
【００１１】
そして、上記ストラップ装置においては、前記突起部は、更に前記巻取り補助部又は前記ストラップ装置本体の何れかに対して弾性結合されるようにしてもよい。このようにすることで、上記接触音の抑制がより効果的に行われる。
【００１２】
なお、上記構成において、突起部による点接触以外の接触（面接触）も可能とする代わりに、該突起部に代わる接触部を設けその接触部と、巻取り補助部又は前記ストラップ装置本体の何れかとを弾性結合することでも、接触音を従来よりも抑制することが可能となる。すなわち、対象物が取り付けられ、ケース形状であるストラップ装置本体と、前記ストラップ装置本体内で回転可能な状態で支持されて、ストラップの巻取りを行う巻取り部と、前記ストラップ装置本体に対する回転が制限された状態で該ストラップ装置本体内に設けられ、且つ前記巻取り部による前記ストラップの巻戻し回転が制限される第一所定位置と、ストラップ取り出しのための前記巻取り部の取り出し回転が可能となる第二所定位置との間で、前記巻取り部に対して相対移動可能な巻取り補助部と、前記巻取り補助部が前記第一所定位置となるように、該巻取り補助部を前記ストラップ装置本体に押圧する押圧力を作用させる付勢部と、前記巻取り補助部又は前記ストラップ装置本体の何れかに設けられ、該巻取り補助部が前記第一所定位置にあるとき該巻取り補助部を該ストラップ装置本体に対して所定の接触状態とする接触部と、を備え、前記接触部と、該接触部が設けられた前記巻取り補助部又は前記ストラップ装置本体の何れかとは弾性結合されており、
ユーザによって前記ストラップを前記ストラップ装置本体から取り出す取り出し操作が行われるとき、該取り出し操作に伴い前記巻取り補助部が前記第一所定位置と前記第二所定位置との間を往復移動することで前記ストラップ取り出しのための前記巻取り部の取り出し回転が行われ、且つ該巻取り補助部が前記第二所定位置から前記第一所定位置へ戻る際に前記接触部を介した該巻取り補助部の前記ストラップ装置本体への接触が行われる。
【００１３】
ここで、上述のストラップ装置のより具体的な構成について開示する。上記ストラップ装置において、前記巻取り部は、前記ストラップが連結され、前記ストラップ装置本体に回転可能な状態で支持されるドラム本体と、前記ドラム本体に設けられた羽部であって、前記巻取り補助部が前記第二所定位置となるための第一端部と、該巻取り補助部が前記第一所定位置あるとき該巻取り補助部と干渉状態となることで該巻取り部の巻戻し回転を制限する第二端部とを含むドラム側羽部と、を有してもよい。また、前記巻取り補助部は、前記ストラップ装置本体に対する回転が制限された状態で該ストラップ装置本体内に設けられ、且つ前記巻取り部に対して前記相対移動可能な補助部本体部と、前記補助部本体部に設けられた羽部であって、ユーザによる前記取り出し操作が行われるとき前記ドラム側羽部の第一端部と接触し前記補助部本体部を前記第二所定位置に移動させる第三端部と、該ドラム側羽部の第二端部と前記干渉状態となる第四端部とを含む補助部側羽部と、を有してもよい。
【００１４】
上記構成においては、巻取り部の第一端部と巻取り補助部の第三端部とが対応し、該巻取り部の第二端部と該巻取り補助部の第四端部とが対応する。第一端部と第三端部とは、取り出し操作によって接触し合うと巻取り補助部を第二所定位置に相対移動させて、その結果巻取り部の取り出し回転が可能となる。一方で、第二端部と第四端部とは、接触しても互いが干渉状態となり、巻取り部を巻き戻し回転させることはない。その結果、ストラップ装置本体から引き出されたストラップの長さは維持されることになる。
【００１５】
ここで、上記ストラップ装置において、前記巻取り補助部が、ユーザの操作により前記第一所定位置から少なくとも前記第二所定位置まで移動させられることで、前記巻取り部の巻戻しが許可されて前記ストラップの巻き戻しが可能となるようにしてもよい。
【００１６】
なお、本明細書におけるストラップとはヒモ様の物体を意味し、ストラップ装置とはヒモ様のものを巻き取った装置を意味する。例えば、巻き取り型メジャー（巻尺）では、縮尺が記された帯部（ヒモ様の部分）がストラップであり、帯部を巻き取る機構がストラップ装置である。
【発明の効果】
【００１７】
ストラップの取り出し操作時にノイズが発生することを極力抑制し、ユーザの快適な使用を阻害しないストラップ装置を提供することができる。
【発明を実施するための最良の形態】
【００１８】
ここで、本発明に係るストラップ装置を有するネームストラップの実施の形態について図面に基づいて説明する。尚、本発明に係るストラップ装置は、ユーザの氏名等を記したネームカード等を保持するネームストラップに適用されるものであるが、これは本発明を当該実施例に限定する意図ではなく、本発明と技術的思想が同一の範囲にある限りは、ユーザが対象物を携帯するとき等に利便性を向上するために使用することが可能である。
【実施例１】
【００１９】
図１Ａ〜１Ｅには、ネームストラップ１の全体構造を示す。図１Ａはネームストラップ１の正面側の斜視図であり、図１Ｂはその背面側の斜視図であり、図１Ｃはその側面図である。このネームストラップ１は、ユーザが自己の名前や所属部署を記したネームカード
を携帯するために、首にかけたストラップ（図１Ａ、１Ｂにおいては図示せず）を介して当該ネームカードがユーザの胸の前に保持されるようにするためのものである。また、このネームカードはＲＦＩＤタグによる無線機能を有する。従って、ユーザは必要に応じて、首にかけたネームストラップの状態で、当該ネームカードを所定のリーダ機能を有する読取り機器にかざすことで、入退室等の所定のセキュリティ操作を容易に行える。
【００２０】
また、図１Ｄは、ネームストラップ１の正面側においてネームカード１００を取り付けたときの、該ネームストラップ１とネームカード１００との相対位置関係を正面側から示す図であり、図１Ｅは、当該相対位置関係を背面側から示す図である。尚、図１Ｄにおいてネームストラップ１の前側に位置するネームカード１００は二点鎖線で示しており、図１Ｅにおいては更にネームストラップ１の内部に収容されるとともに、その一部が該ネームストラップ１の本体から取り出された状態にあるストラップが二点鎖線で示されている。
【００２１】
このように構成されるネームストラップ１では、ネームカード１００がネームストラップ１の表側に備えられているフック部（図１Ｃ等参照）に引っ掛けられることで該ネームストラップ１に取り付けられ、ユーザの使用に供される。また、ユーザが自己の使用の都合に合わせて、ネームストラップ本体から取り出されたストラップの長さ（以下、単に「ストラップの長さ」と言う。）の調整について言及する。先ずストラップの長さを長くするためには該ストラップをつまんで取り出せばよく、それ以外の操作は要求されない。取り出されたストラップは、自動的にネームストラップ本体から取り出された状態が保持される。一方でストラップの長さを短くするためには、図１Ａ、１Ｅで示されるロックボタン４０を押して、ストラップの上記保持状態を解除することで取り出されたストラップの一部又は全部をネームストラップ１本体の内部に収容する。以下に、このネームストラップ１の詳細な説明を行う。
【００２２】
図２は、ネームストラップ１の組み立て時における構成部材の相関関係が把握できるように、該構成部材を分解した状態で示す図である。ネームストラップ１は、主にネームカード１００が取り付けられる正面側（以下、本実施例において正面側と言うときは、このネームカード１００が取り付けられる側を言う。一方で、当該正面側の反対側を背面側と言う。）のカバー部材である表カバー１０、背面側のカバーである裏カバー２０、それらの間に挟まれて装着されるドラム３０、ロックボタン４０、弦巻バネであるコイル５０、渦巻きバネであるスパイラル６０、紐状のストラップ７０、セイフティパーツ８０で構成される。ドラム３０はストラップ７０が巻きつけられる部材であり、この巻き付け量が調整されることで、ストラップ７０がネームストラップ１の本体から取り出される量が変化することになる。
【００２３】
ここで、図３Ａ、３Ｂに表カバー１０の詳細な構造を示す。尚、図３Ａは表カバー１０を正面側から見たときの斜視図であり、図３Ｂは表カバー１０を背面側から見た斜視図である。図２に示される表カバー１０の状態は、図３Ｂに示す状態に相当する。ここで、表カバー１０は、正面側に平面状の表面を形成する表カバー本体部１１と、該表カバー本体部１１の周囲を囲みそれに垂直に立設される側壁部１４を有する。この側壁部１４のうち上側の側壁部にはネームストラップ１内に収納されたストラップ７０をその外部に取り出すための取り出し口１５が二箇所設けられている。そして、表カバー本体部１１の上側中央部分には、ネームカード１００を引っ掛けるためのフック部１２が設けられる。このフック部１２は、表カバー本体部１１の表面から垂直に突出した水平部１２ｂと、該水平部１２ｂの端部において上方向にクランクする垂直部１２ａとで構成される。また、垂直部１２ａの先端部分に、小さな鈎状の返し部１２ｃが設けられている。このフック部１２の断面図は、図１Ｃに示されているので参照されたい。このように構成されるフック部１２に、ネームカード１００を引っ掛けて、又は該ネームカード１００を収納するホルダー等
に設けられた孔を引っ掛けることで、該ネームカード１００のネームストラップ１への取り付けが行われることになる。
【００２４】
また、図３Ｂに示すように、表カバー１０の背面側には、側壁部１４によって形成されたくぼみ部の中央部分に、表カバー本体部１１の裏面からそのくぼみ部側に突出した、円柱状の嵌合軸部１３が設けられている。この嵌合軸部１３は、ネームストラップ１を組み立てる際に使用されるものである。この嵌合軸部１３には、その中央部分に軸方向に延びる円柱穴部１３ａと、該円柱孔部１３ａを挟むようにその両側に位置し、嵌合軸部１３の壁面をスリット状に切り欠いたスリット部１３ｂが設けられている。
【００２５】
次に、図４Ａ、４Ｂに裏カバー２０の詳細な構造を示す。尚、図４Ａは裏カバー２０を背面側から見たときの斜視図であり、図４Ｂは裏カバー２０を正面側から見た斜視図である。図２に示される裏カバー２０の状態は、図４Ａに示す状態に相当する。ここで、裏カバー２０は、背面側に平面状の表面を形成する裏カバー本体部２１と、該裏カバー本体部２１の周囲を囲みそれに垂直に立設される側壁部２４を有する。この側壁部２４のうち上側の側壁部にはネームストラップ１内に収納されたストラップ７０をその外部に取り出すための取り出し口２５が二箇所設けられている。また、裏カバー本体部２１の中央部分には円形の貫通孔２２が設けられており、ネームストラップ１の組み立て時においては、この貫通孔２２は上記嵌合軸部１３と中心軸が重なる相対位置関係を有する。
【００２６】
また、図４Ｂに示すように、裏カバー２０の正面側には、側壁部１４によって形成されたくぼみ部の中央部分に、上記貫通孔２２が位置する。そして、裏カバー本体部２１の正面側には、この円形の貫通孔２２の周囲を囲むように環状の縁部２３が設けられている。この縁部２３は、後述するロックボタン４０の緩衝部４４が所定動作時に接触する部分である。
【００２７】
次に、図５Ａ、Ｂにドラム３０の詳細な構造を示す。尚、図５Ａはドラム３０を背面側から見たときの斜視図であり、図５Ｂはドラム３０を正面側から見た斜視図である。図２に示されるドラム３０の状態は、図５Ａに示す状態に相当する。図５Ａに示すように、ドラム５０は、環状で且つドラム３０の軸方向に延びるドラム本体部３１を有する。更に、このドラム本体部３１を三方向で囲みドラム本体部３１の延在方向に沿うように、弧状の側壁部３２ａ、３２ｂ、３２ｃが設けられている。この側壁部３２ａ、３２ｂ、３２ｃは、図５Ａに示すように背面側においては、それぞれドラム本体部３１と離間した状態で配置されることで、各側壁部とドラム本体部３１との間に溝部３６ａ、３６ｂ、３６ｃが形成される。一方で、この側壁部３２ａ、３２ｂ、３２ｃは、図５Ａに示すように正面側においては、ドラム本体部３１と連結された状態で形成される。
【００２８】
そして、側壁部３２ａと側壁部３２ｂとの間には、ドラム３０の軸方向に沿って背面側から正面側に延びるが、該正面側にまでは完全に到達しない切り欠き部３３が設けられている（図５Ｂには、切り欠き部３３が正面側まで到達せずに、側壁部３２ａと側壁部３２ｂが一部で連結されている状態が示されている。）。また、側壁部３２ａと側壁部３２ｃとの間および側壁部３２ｂと側壁部３２ｃとの間には、ドラム３０の軸方向に沿って背面側から正面側まで延びる溝部３４がそれぞれ設けられている。これら一つの切り欠き部３３と二つの溝部３４は、切り欠き部３３を中心として二つの溝部３４が線対称となる位置に配置される。そして、二つの溝部３４の配置は、ドラム本体部３１の環状周囲において、切り欠き部３３と一の溝部３４とがドラム本体部３１の中心と為す角が９０度〜１８０度となる位置が好ましい。尚、図５Ａにおいては、当該角が略１２０度のときの、溝部３４の配置状態が示されている。また、切り欠き部３３の幅は、溝部３４の幅よりも小さく設計されており、後述するように平織り紐状のストラップ７０の厚さの２倍程度の幅となっている。
【００２９】
更に、図５Ｃに示すように、各溝部３４が配置されるドラム本体部３１の表面上には、該ドラム本体部３１の軸方向に延在し、当該表面を盛り上がった形状に形成する段差部３１ａが設けられ、更にその段差部３１ａの上には突出した突起部３１ｂが設けられている。この突起部３１ｂの突起方向は、対向する側壁部に設けられた各溝部３４の開口方向（ドラム本体部３１の外方向）であって、図５Ａに示す切り欠き部３３の開口方向を基準とするとそれよりドラム本体部３１の環状周囲に対して左右に略１２０度下向きの方向である。
【００３０】
ここで、図５Ａに示すように、ドラム３０の背面側には環状のドラム本体部３１で囲まれることで形成されるくぼみ部３５が形成されている。一方で、図５Ｂに示すように、ドラム３０の正面側には環状のドラム本体部３１とそれと連結された各側壁部とで囲まれることで形成されるくぼみ部３９が形成されている。そしてこれらのくぼみ部３５と３９を連通させるように、ドラム３０の中心部に貫通孔３７が設けられている。この貫通部３７は、ネームストラップ１の組み立て時においては、上記嵌合軸部１３とその中心軸が重なる相対位置関係を有する。
【００３１】
また、図５Ａに示すように、ドラム本体部３１からくぼみ部３５の内部方向に飛び出すように羽部３８が二箇所に設けられている。この羽部３８は略平板状をしているが、ドラム本体部３１の環状周方向に沿って羽部３８の厚さは徐々に変化してテーパ形状を形成している。図５Ａに示す状態では、羽部３８は端部３８ａから端部３８ｂに沿ってその厚さは徐々に厚くなっている。そして、羽部３８は、端部３８ａにおいては丸みが付けられた端部形状となっており、一方で端部３８ｂにおいては概ね平面の端部形状となり、いわば切り立った端部を形成している。
【００３２】
次に、図６Ａ、Ｂにロックボタン４０の詳細な構造を示す。尚、図６Ａはロックボタン４０を背面側から見たときの斜視図であり、図６Ｂはロックボタン４０を正面側から見た斜視図である。図２に示されるロックボタン４０の状態は、図６Ａに示す状態に相当する。図６Ａに示すように、ロックボタン４０は円盤状のボタン本体部４１を有する。そして、このボタン本体部４１に対して同心状に円柱状のボタン部４２が設けられており、このボタン部４２の内部は、図６Ｂに示すように中空状になることでくぼみ部４５が形成されている。
【００３３】
ここで、円盤状のボタン本体部４１の側方（図６Ａにおける上下左右方向）には、該ボタン本体４１から延出して形成される４つの羽部４３が、図６Ａに示すようにボタン本体部４１の周囲に対して、略９０度毎に等角配置されている。また、この羽部４３は略平板状をしているが、ボタン本体部４１の周方向に沿って羽部４３の厚さは徐々に変化してテーパ形状を形成している。図６Ａに示す状態では、羽部４３は端部４３ａから端部４３ｂに沿ってその厚さは徐々に厚くなっている。そして、羽部４３は、端部４３ａにおいては丸みが付けられた端部形状となっており、一方で端部４３ｂにおいては概ね平面の端部形状となり、いわば切り立った端部を形成している。尚、後述するが、ロックボタン４０の羽部４３は、ネームストラップ１の組み立て時において上記ドラム３０のくぼみ部３５に収容された状態となり、そのとき羽部３８に対して所定の相対関係を有する。
【００３４】
更に、ロックボタン４０には、ボタン本体４１における４つの羽部４３のそれぞれに対応した位置に、４つの緩衝部４４が設けられている。この緩衝部４４は、その先端が半球状に形成されボタン本体４１の本体表面４１ａを基準面としたときその表面からボタン部４２の先端方向に突出するように形成される球状先端部４４ａと、該球状先端部４４ａをボタン部４２側に弾性的に連結する連結部４４ｂを有している。これにより、緩衝部４４の球状先端部４４ａが、弾性状態でロックボタン４０に備えられたことになる。尚、この
緩衝部４４は、本実施例においてはボタン本体４１側には連結されてはいないが、上記球状先端部４４ａが本体表面４１ａから突出する限り、ボタン本体４１側に連結されてもよい。
【００３５】
ここで、図７に弦巻バネであるコイル５０の詳細を示す。コイル５０は、線材を弦巻状に成形したものである。また、図８には、スパイラル６０の詳細を示す。スパイラル６０は、帯状の鋼材を渦巻状に形成したものであり、その渦巻きの中心側の端部が６１、該渦巻きの外側の端部が６２とされる。尚、これらコイル５０およびスパイラル６０の寸法や材質は、組み立てられたネームストラップ１がユーザの使用に適した状態となるべく、上述した寸法等とは異なる寸法等を採用してもかまわない。
【００３６】
次に、ネームストラップ１の組み立てについて説明する。ここで、図９に、ネームストラップ１に組み込まれる平織り紐状のストラップ７０を示す。ストラップ７０は組み込まれる前の状態では、一本の平織り紐状でありその二つの端部は７１ａ、７１ｂとされる。ここで図９に示すストラップ７０の状態は、ネームストラップ１に組み込まれたときの状態であり、このときストラップ７０は、ドラム３０によってネームストラップ１内に巻き込まれる巻き込み部分７２が形成される（図９ではドラム３０は図示せず）。そして、ストラップ７０の端部７１ａ、７１ｂは、巻き込み部分７２には含まれず、常にネームストラップ１の本体外に出された状態となり、図２に示すように各端部にはセイフティパーツ８０が取り付けられる。
【００３７】
ここで、ドラム３０へのストラップ７０の取り付けについて図１０に基づいて説明する。図１０は、ドラム３０を背面側から見たときの、ストラップ７０の取付け状態を示す図である。尚、図１０においてはストラップ７０の取付け状態を特徴的に示すために、ドラム３０の各構成の寸法縮尺は適宜調整されている。ストラップ７０については、その両端部７１ａ、７１ｂが含まれない途中部が、ドラム本体３１と側壁部３２ａ、３２ｂ、３２ｃで挟まれて形成される溝部３６ａ、３６ｂ、３６ｃに嵌め込まれるとともに、切り欠き部３３から両端部７１ａ、７１ｂが取り出された状態となる。このとき、図１０からも明らかな通り、ストラップ７０の中央部７１ｃが、図に示す位置、即ち切り欠き部３３から見たとき溝部３６ｃの最奥部近傍に来るようにストラップ７０の嵌め込みが行われる。従って、一本のストラップ７０のうち、溝部３６ｃから溝部３６ａに至って切り欠き部３３から取り出されるストラップ７０の一部分の長さと、溝部３６ｃから溝部３６ｂに至って切り欠き部３３から取り出されるストラップ７０の他部分の長さが概ね同じ長さとなる。
【００３８】
ここで、ドラム３０のうち溝部３４が設けられている部分には、上述の通り突起部３１ｂが配置されている。これにより、各溝部に嵌め込まれたストラップ７０は、二つの突起部３１ｂの突起先端にひっかかるように接触する。そして切り欠き部３３から取り出されたストラップ７０は両端部が引っ張られることで、この突起部３１ｂの突起先端がストラップ７０にしっかりとひっかかる結果となり、ストラップ７０がドラムに対してスリップしないように連結される。更に、切り欠き部３３の幅は、図１０に示すようにストラップ７０の２本分の厚さと同程度の幅となっている。従って、この切り欠き部３３へのストラップ７０の嵌め合いにより突起部３１ｂによる食い込みがいたずらに緩んでしまうことが防止される。
【００３９】
そして、切り欠き部３３から取り出されたストラップ７０は、二本分重ねられた状態で一緒にドラム３０の側壁部３２ａ、３２ｂ、３２ｃの外表面に巻きつけられ、上記巻き込み部分７２が形成されることになる。尚、ストラップ７０がドラム３０に巻きつけられた状態は、図２に示されている。ここで、図２に基づいて、ネームストラップ１の組み立て手順について説明する。
【００４０】
先ず、表カバー１０の嵌合軸部１３のスリット部１３ｂにスパイラル６０の端部６１を挟み込む。これによりスパイラル６０が表カバー１０に対して固定された状態となる。そしてこのスパイラル６０をくぼみ部３９に収まるように、ストラップ７０が巻き付けられたドラム３０をスパイラル６０に取り付ける。このときスパイラル６０の端部６２がドラム３０に固定される。この状態において、嵌合軸部１３はドラム３０の貫通孔３７に挿通される。更に、この嵌合軸部１３の円柱穴部１３ａにコイル５０を嵌めこみ、該コイル５０がくぼみ部４５に収まるようにロックボタン４０を被せ、裏カバー２０を取り付ける。これにより、ロックボタン４０はコイル５０によって支持される形になり、その結果押し縮められたコイル５０によって、ロックボタン４０を裏カバー２０に押し付ける押圧力が作用することになる。そして、この押圧力によって、ロックボタン４０の緩衝部４４の４つの球状先端部４４ａが裏カバー２０の縁部２３に接触した状態となっている。尚、この押圧力はロックボタン４０の動きを完全に固定させるためのものではなく、押圧力に抗しながらロックボタン４０は後述する第一所定位置から第二所定位置の範囲を動くことが可能である。また、このときストラップ７０の両端部は表カバー１０の取り出し口１５および裏カバー２０の取り出し口２５によって、ネームストラップ１の外部に常に取り出された状態となっている。以上の手順により、嵌合軸部１３を中心として、表カバー１０、スパイラル６０、ドラム３０、コイル５０、ロックボタン４０、裏カバー２０が組みつけられて、最終的にネームストラップ１が構成される。
【００４１】
尚、上述の通り、ストラップ７０の両端部７１ａ、７１ｂにはセイフティパーツ８０が取り付けられている。このセイフティパーツ８０は、ユーザの首や手首等にネームストラップ１を掛けることができるようにストラップ７０を最終的に環状にするためのものである。一方で、ネームストラップ１に不測の力が掛かったときにストラップ７０を介してその不測の力がユーザに伝わりユーザがトラブルに巻き込まれるのを回避すべく、該ストラップ７０の環状形状を解消することを可能とするためのものでもある。そこで、このような機能を発揮するセイフティパーツ８０の構成例を図１１に示す。
【００４２】
図１１に示すセイフティパーツ８０は、略直方体のパーツ本体部８１の一面に雌型の嵌合部８２と雄型の嵌合部８３が並んで設けられている。この形式のセイフティパーツ８０は、二つのセイフティパーツ８０を、それぞれの雌型嵌合部８２と雄型嵌合部８３とが対向するように並べ、嵌合させることが可能となっている。従って、ストラップ７０の一方の端部７１ａに一のセイフティパーツ８０を取り付け、もう一方の端部７１ｂには各嵌合部が相手側の嵌合部に対応するように別のセイフティパーツ８０を取り付けることで、ストラップ７０の環状形状の形成、解除が可能となる。このように一種類のセイフティパーツで、上記セイフティパーツに必要とされる機能が発揮される。
【００４３】
また、図１１に示すような一種類のセイフティパーツで上記機能を発揮する例に代えて、二種類のセイフティパーツで上記機能を発揮するようにしてもよい。即ち、ストラップ７０の一方の端部に取り付けられるセイフティパーツには雄型の嵌合部を設け、他方の端部に取り付けられるセイフティパーツには雌型の嵌合部を設ければよい。このようにセイフティパーツを構成しても、必要とされる上記機能は十分に発揮できる。
【００４４】
このように構成されるネームストラップ１では、ユーザの使用前の状態ではストラップ７０の端部に取り付けられたセイフティパーツ８０は、表カバー１０と裏カバー２０の各上側の側壁部に沿って配置される（図２を参照。図２では、分解された状態のネームストラップ１が示されているが、図２に示す状態のセイフティパーツ８０が、表カバー１０と裏カバー２０の上側部に沿って位置することになる。）これは、上述したようにストラップ７０のドラム３０への取り付けは、図１０に示すように行われるため、ストラップ７０の端部７１ａ、７１ｂをネームストラップ１の外部に常に出した状態とすることが可能となることで実現されるものである。そして、ユーザはネームストラップ１を使用する際に
は、このセイフティパーツ８０の部分を引っ張ることでユーザストラップ１内に納められているストラップ７０が取り出される。このとき、ストラップ７０の端部７１ａ、７１ｂはセイフティパーツ８０によってつなげられた状態となっているため、ユーザに対しては直ちに環状のストラップ７０が形成されることになるため、直ちに首や手首等に掛けて使用することが可能となる。
【００４５】
そして、ユーザが首等に掛けてネームストラップ１を使用したとき、上記セイフティパーツ８０は、その首の後ろ側等の該首に隣接した位置に至る。これは、ストラップ７０の中央部７１ｃが図１０に示す位置に配置され、その結果その両端部が表カバー１０と裏カバー２０の各上側の側壁部上に配置されるため、結果的にユーザの使用時においてセイフティパーツ８０がネームストラップ１から最も遠い位置に到達することに拠る。このような構成を採ることで、ネームストラップ１の使用時の安全性を極めて高く維持することが可能となる。即ち、ネームプレート１はユーザの首等に掛けて使用されるためシュレッダー装置等の機械に巻き込まれる可能性もあるが、使用時にセイフティパーツ８０をネームストラップ１から最遠位置に配置させることができることで、ネームストラップ１本体が機械等に巻き込まれても安全装置としてのセイフティパーツ８０はユーザの近くに正常な状態で確保されているため、ユーザはセイフティパーツ８０の安全機能により、ユーザは首等をストラップ７０から外すことが可能となる。換言すると、ネームストラップ１においては機械等に巻き込まれやすい場所にセイフティパーツ８０が配置されない構成を採ることで、ユーザの安全性を担保するものである。
【００４６】
ここで、ユーザの使用に伴うネームストラップ１におけるストラップ７０の取り出し、巻き込みについて説明する。ネームストラップ１においては、上述したように図５Ａに示すドラム３０のくぼみ部３５に、図６Ａに示すロックボタン４０が収容された状態となる。その状態では、ドラム３０の羽部３８とロックボタン４０の羽部４３に着目すると、端部が丸まった形状となっている端部３８ａと端部４３ａとが接触可能であって、または端部３８ｂと端部４３ｂとが接触可能である。そして、ユーザがストラップ７０を取り出す操作をしたとき、それが巻き付けられたドラム３０を回転させるが、この回転方向は端部３８ａと端部４３ａが近接する方向である。従って、ユーザがストラップ７０の取り出し操作を行うと、端部３８ａと端部４３ａが接触するが、両端部は丸みが付けられた形状であり、また両端部の羽部の厚さは比較的薄いため、結果的に当該取り出し操作に応じて、互いの羽部がコイル５０による押圧力に抗しながら互いを乗り越えていく。
【００４７】
このとき、コイル５０による押圧力の付勢方向における、ロックボタン４０の動きについて言及する。端部３８ａと端部４３ａが上記のように接触する前は、コイル５０の押圧力によりロックボタン４０は裏カバー２０に接触した位置（以下、「第一所定位置」と言う。）にある。そして、互いの羽部の乗り越えが行われていくと、コイル５０に抗してロックボタン４０は正面側に移動する。そして、ロックボタン４０が最も正面側に移動した位置を第二所定位置とすると、ロックボタン４０がこの第二所定位置に至った直後に互いの羽部の乗り越えが終了し、ロックボタン４０はコイル５０の押圧力によって再び第一所定位置に戻される。このようにユーザの引き出し操作により、ロックボタン４０は第一所定位置と第二所定位置との間を往復することになる。
【００４８】
従ってネームストラップ１の使用時に、ユーザには、ストラップ７０を取り出す以外の操作、例えばロックボタンのボタン部４２を押圧する等の操作は要求されない。この結果、ユーザはネームストラップ１から取り出されたストラップ７０の長さを長くしたいときのユーザの利便性が向上する。また安全性の面からも、上記機構は有用である。即ち、ネームストラップ１が機械等に巻き込まれてストラップ７０に不測の力が働いたとしても、ユーザが何らの操作を行うことも無くストラップ７０の長さがその最大長まで長くなるため、セイフティパーツ８０の係合をユーザが外す等、ユーザが危険から回避する何らかの
行動を採る余裕が生まれることになる。
【００４９】
尚、ユーザが上記ストラップ７０の取り出し操作を行うとドラム３０の回転に伴い、スパイラル６０に弾性エネルギーが蓄積され、ドラム３０とロックボタン４０とを相対的に上記回転とは反対の向きに回転（以下、単に「反対回転」と言う。）させようとする力が働く。しかし、ドラム３０の羽部３８の端部３８ｂとロックボタン４０の羽部４３の端部４３ｂは互いに切り立って状態となっているため、両端部が干渉し合うことでユーザが何ら操作を行わないとドラム３０は上記反対回転を行うことはできない。
【００５０】
ドラム３０に上記反対回転を行わせるためには、ユーザはロックボタン４０のボタン部４２を押圧する。これにより、コイル５０で支持されているロックボタン４０がネームストラップ１内に押し込まれた状態となり、その結果、ロックボタン４０は強制的に第二所定位置またはそれより更に正面側の位置に移動させられる。そして、この位置では、端部４３ｂと端部３８ｂとの緩衝状態が解消される。即ち、ボタン部４２の押圧操作により、ロックボタン４０の羽部４３がドラム３０の羽部３８の下に滑り込む状態となるため、ドラム３０が上記反対回転を行うことが可能となる。従って、この状態ではスパイラル６０に溜められた弾性エネルギーによりドラム３０が上記反対回転させられ、以て取り出されたストラップ７０が、ネームストラップ１内に引き戻されてドラム３０に再び巻き戻された状態となる。そして、このボタン部４２の押圧動作時間をユーザが調整することで、ストラップ７０の引き戻し量を調整できる。
【００５１】
また、ロックボタン４０には４枚の羽部４３が設けられているため、ロックボタン４０とドラム３０との相対位置関係は、９０度回転毎に調整することが可能である。よって、このロックボタン４０の羽枚数を調整することで、ロックボタン４０ドラム３０との相対位置関係の調整を更に細かくすることも可能である。
【００５２】
次に、ストラップ７０の取り出し操作が行われるときのロックボタン４０の動きについて説明する。上述したように組み立てられたネームストラップ１においては、ロックボタン４０はコイル５０から押圧力を受けた状態で、取り出し操作により第一所定位置と第二所定位置との間を移動する。ここで、羽部３８と羽部４３が互いを乗り越え第二所定位置から第一所定位置へ戻ろうとするとき、当該乗り越え毎にコイル５０からの押圧力によってロックボタン４０が裏カバー２０に衝撃的に接触し、接触音が発生する可能性がある。しかし、本実施例に係るロックボタン４０と裏カバー２０との接触は、ロックボタン４０に設けられた４つの球状先端部４４ａを介して点接触のように接触面積が比較的小さい状態で行われるため、言い換えると当該接触がロックボタン４０の本体表面４１ａと裏カバー２３との面接触状態で行われることが回避されるため、上記接触音を可及的に小さくすることができる。また、本実施例に係るロックボタン４０では、球状先端部４４ａは連結部４４ｂによって弾性的に支持されているため、より接触音を小さくすることが可能である。
【００５３】
また、ネームストラップ１には上記フック部１２が設けられている。このフック部１２は、垂直部１２ａと水平部１２ｂによって構成され、この図１Ｃに示すように平たいネームカード１００をネームストラップ１の上方から引っ掛けるように、ネームストラップ１に取り付けることが可能となる。この結果、ネームカード１００の平面部分が、表カバー１０の表面の平面部分に沿う状態でネームストラップ１に取り付けられるため、ネームカード１００とネームストラップ１とが一体的に且つ安定的に取り付けられる。これにより、ネームストラップ１の使用時にその外観を良好に保つことができる。また、ネームカード１００が上方を向いた垂直部１２ａを介して取り付けられることで、更には返し部１２ｃによりネームカード１００に何らかの外力がかかってしまっても、ネームカード１００が容易に外れてしまうことを回避できる。
【００５４】
ここで、本出願人は、ネームストラップ１からストラップ７０が取り出されそれをユーザの首に掛けたときに、ネームストラップ１が回転せずに表裏状態を安定的に維持することができる、ストラップ７０の取り出し位置に関して、即ち表カバー１０の２つの取り出し口１５と裏カバー２０の２つの取り出し口２５とで形成される、２つの取り出し口の間隔に関して、検証により新たな知見を得た。ここで、出願人が行った検証について説明する。
【００５５】
検証では、上記２つの取り出し口の間隔を0mm（即ち、取り出し口が一つの状態）、10mm、15mm、25mm、50mmに変更した複数のネームストラップを用意し、それを一枚の板上に
一列に並べる。このとき各ネームストラップは、各取り出し口から取り出されたストラップの長さが300mmとなるように２本のストラップで、且つ２本のストラップの最長離間距
離が100mmとなる略三角形又は略台形状態である。検証開始前では、各ネームストラップ
を並べた板を傾けて該板で各ネームストラップを支えている状態とする。そして、そのとき各ネームストラップのストラップは一回転捩られた状態となっている。
【００５６】
検証を開始するにあたり、上記板を徐々に起こしていく。ここで、各ネームストラップの動きを、捩れが元に戻る順番と、その戻るときの回転の速度を測定者の目視により測定する。即ち、ストラップによるネームストラップの表裏状態が好適に維持されるためには、ストラップによって維持力が強く作用することが必要である。するとこの維持力が大きいほど、上記検証状態においてはストラップの捩れが早期に解消され、且つ解消時のネームストラップの回転速度が速くなると考えられる。そこで、上記検証により捩れの解消する順番と、その際の回転速度が測定される。
【００５７】
出願人が得た検証結果では、上記２つの取り出し口の間隔が50mm、25mm、15mm、10mm、0mmの順に上記捩れ状態が解消した。また、捩れ解消時の回転速度は、上記２つの取り出
し口の間隔が50mm、25mmのケースは比較的早かったが、残りのケースでは比較的遅く且つ互いの差は僅差であった。従って、出願人は上記２つの取り出し口の間隔を25mm以上とすることで、ネームストラップ１の表裏状態を安定的に維持することができるという知見を得た。
【００５８】
なお、上記実施例においてはネームストラップ１とネームカード１００とを別体としたが、一体とすることもできる。すなわち、つり下げ対象物自体にネームストラップ１の機構を組み込むこともできる。
【００５９】
上記実施例では、ドラム３０がヒモ様のもの（ストラップ７０）を２本巻き取った構成を示したが、１本のみ巻き取る装置や複数本まとめて巻き取る構成等、他の構成に適用することは当然に可能である。このように構成した場合であっても、いわゆる「カチカチ」音を小さくしたりなくしたりすることができる。
【００６０】
更に上記実施例では、緩衝部４４は、弾性結合部としての連結部４４ｂと点接触部としての球状先端部４４ａとで構成したが、何れかのみを採用してもいわゆる「カチカチ」音の低減効果を奏する。例えば、連結部４４ｂを廃して球状先端部４４ａをボタン本体部４１に直付けしても、従来の機構と比べて「カチカチ」音を低減し得る。また、連結部４４ｂを残し、球状先端部４４ａが表カバー本体１１に面接触するような構成にしても、従来の機構と比べて「カチカチ」音を低減し得る。
【図面の簡単な説明】
【００６１】
【図１Ａ】本発明の実施例に係るネームストラップを正面側から見たときの斜視図である。
【図１Ｂ】本発明の実施例に係るネームストラップを背面側から見たときの斜視図である。
【図１Ｃ】本発明の実施例に係るネームストラップの側面図である。
【図１Ｄ】本発明の実施例に係るネームストラップにネームカードを取り付けた状態の正面図である。
【図１Ｅ】本発明の実施例に係るネームストラップにネームカードを取り付けた状態の背面図である。
【図２】本発明の実施例に係るネームストラップを構成する構成部品の概略を示した図である。
【図３Ａ】本発明の実施例に係るネームストラップを構成する表カバーを正面側から見たときの斜視図である。
【図３Ｂ】本発明の実施例に係るネームストラップを構成する表カバーを背面側から見たときの斜視図である。
【図４Ａ】本発明の実施例に係るネームストラップを構成する裏カバーを背面側から見たときの斜視図である。
【図４Ｂ】本発明の実施例に係るネームストラップを構成する裏カバーを正面側から見たときの斜視図である。
【図５Ａ】本発明の実施例に係るネームストラップを構成するドラムを背面側から見たときの斜視図である。
【図５Ｂ】本発明の実施例に係るネームストラップを構成するドラムを正面側から見たときの斜視図である。
【図５Ｃ】本発明の実施例に係るネームストラップを構成するドラムの溝部近傍の拡大図である。
【図６Ａ】本発明の実施例に係るネームストラップを構成するロックボタンを背面側から見たときの斜視図である。
【図６Ｂ】本発明の実施例に係るネームストラップを構成するロックボタンを正面側から見たときの斜視図である。
【図７】本発明の実施例に係るネームストラップを構成する弦巻バネであるコイルの構成を示す図である。
【図８】本発明の実施例に係るネームストラップを構成する渦巻きバネであるスパイラルの構成を示す図である。
【図９】本発明の実施例に係るネームストラップを構成する平織り紐状のストラップの構成を示す図である。
【図１０】図９に示すストラップのドラムへの取付け状態を示す図である。
【図１１】本発明の実施例に係るネームストラップを構成するセイフティパーツの構成を示す図である。
【符号の説明】
【００６２】
１・・・・ネームストラップ
１０・・・・表カバー
１１・・・・表カバー本体
１２・・・・フック部
１３・・・・嵌合軸部
１４・・・・側壁部
１５・・・・取り出し口
２０・・・・裏カバー
２１・・・・裏カバー本体
２２・・・・貫通孔
２３・・・・縁部
２４・・・・側壁部
２５・・・・取り出し口
３０・・・・ドラム
３１・・・・ドラム本体部
３１ｂ・・・・突起部
３２ａ、３２ｂ、３２ｃ・・・・側壁部
３３・・・・切り欠き部
３４・・・・溝部
３５・・・・くぼみ部
３６ａ、３６ｂ、３６ｃ・・・・溝部
３７・・・・貫通孔
３８・・・・羽部
３９・・・・くぼみ部
４０・・・・ロックボタン
４１・・・・ボタン本体部
４２・・・・ボタン部
４３・・・・羽部
４４・・・・緩衝部
４４ａ・・・・球状先端部
４４ｂ・・・・連結部
４５・・・・くぼみ部
５０・・・・コイル
６０・・・・スパイラル
７０・・・・ストラップ
８０・・・・セイフティパーツ
８１・・・・パーツ本体部
８２・・・・雌型嵌合部
８３・・・・雄型嵌合部
【図１Ａ】
2009160277.tif 000003
【図１Ｂ】
2009160277.tif 000004
【図１Ｃ】
2009160277.tif 000005
【図１Ｄ】
2009160277.tif 000006
【図１Ｅ】
2009160277.tif 000007
【図２】
2009160277.tif 000008
【図３Ａ】
2009160277.tif 000009
【図３Ｂ】
2009160277.tif 000010
【図４Ａ】
2009160277.tif 000011
【図４Ｂ】
2009160277.tif 000012
【図５Ａ】
2009160277.tif 000013
【図５Ｂ】
2009160277.tif 000014
【図５Ｃ】
2009160277.tif 000015
【図６Ａ】
2009160277.tif 000016
【図６Ｂ】
2009160277.tif 000017
【図７】
2009160277.tif 000018
【図８】
2009160277.tif 000019
【図９】
2009160277.tif 000020
【図１０】
2009160277.tif 000021
【図１１】
2009160277.tif 000022